【手続補正書】
【提出日】令和3年3月3日(2021.3.3)
【手続補正１】
【補正対象書類名】特許請求の範囲
【補正対象項目名】全文
【補正方法】変更
【補正の内容】
【特許請求の範囲】
【請求項１】
トルク伝達ドライバーであって、
第１の端部分及び第２の端部分を有する本体を備え、
前記第１の端部分は、トルク発生源からトルクを受けて伝達するようになっており、
前記第１の端部分の反対の前記第２の端部分は、複数の少なくとも２つのサイズの締結具における類似の形状及びテーパーの駆動面と係合するよう動作可能な、回転軸から５０度以上、６５度以下であるテーパー角度を有するテーパー状駆動面を有する、交互になっている一連の４つ、５つ又は６つのローブ及びトラフを回転軸の周囲に備える駆動面を有する成形テーパー状ビットを備え、
前記成形テーパー状ビットの前記テーパー状駆動面は、第１のサイズの締結具の駆動面と係合するよう動作可能な第１のテーパー部分と、第２のサイズの締結具の駆動面と係合するよう動作可能な第２のテーパー部分とを備え、前記第２のサイズの締結具の前記駆動面は、前記第１のサイズの締結具の前記駆動面よりも大きく、各ローブは、ローブ幅対ローブ高さの比が、前記トルク伝達ドライバーの軸方向の任意の断面について、実質的に一定であるテーパー高さ及びテーパー幅を有する、トルク伝達ドライバー。
【請求項２】
前記駆動面が対応する締結具面と係合するようになっている駆動角度を有する駆動側面遷移部を、各ローブと、各ローブの少なくとも片側における前記トラフとの間に備え、前記駆動角度が０度〜５度である、請求項１に記載のトルク伝達ドライバー。
【請求項３】
前記駆動側面遷移部がローブ高さの約２０％〜６０％である、請求項２に記載のトルク伝達ドライバー。
【請求項４】
前記駆動面が対応する締結具面と係合するようになっている負の駆動角度を有する駆動側面遷移部を、各ローブと、各ローブの少なくとも片側における前記トラフとの間に備え、前記駆動角度が０度〜−１０度である、請求項１に記載のトルク伝達ドライバー。
【請求項５】
前記駆動側面遷移部がローブ高さの約２０％〜６０％である、請求項４に記載のトルク伝達ドライバー。
【請求項６】
前記締結具の駆動面が凹部を形成し、前記成形テーパー状ビットが少なくとも２つのサイズの締結具の駆動面と係合するよう動作可能である、請求項１から５のいずれか一項に記載のトルク伝達ドライバー。
【請求項７】
前記締結具の駆動面が凸部を形成し、前記成形テーパー状ビットが少なくとも２つのサイズの締結具の駆動面と係合するよう動作可能である、請求項１から５のいずれか一項に記載のトルク伝達ドライバー。
【請求項８】
前記テーパー状駆動面が前記回転軸から５５度と６５度以下との間のテーパー角度を有する、請求項１から７のいずれか一項に記載のトルク伝達ドライバー。
【請求項９】
前記テーパー状駆動面が前記回転軸から５０度と５５度との間のテーパー角度を有する、請求項１から７のいずれか一項に記載のトルク伝達ドライバー。
【請求項１０】
前記第１のサイズの締結具及び第２のサイズの締結具のうちの少なくとも一方が、０．０３９インチ（１．０ミリメートル）よりも小さいねじ大径を有する、請求項１から９のいずれか一項に記載のトルク伝達ドライバー。
【請求項１１】
前記第１のサイズの締結具及び第２のサイズの締結具のうちの少なくとも一方が、０．０６３インチ（１．６ミリメートル）よりも小さいねじ大径を有する、請求項１から９のいずれか一項に記載のトルク伝達ドライバー。
【請求項１２】
締結具システムであって、
少なくとも２つのサイズのテーパー状駆動面の組合せを有する複数の締結具で、
各締結具は、前記テーパー状駆動面を有する駆動端部分と、リード端部分とを有し、
各締結具の前記駆動端部分はトルク伝達ドライバーと係合するよう動作可能であり、前記リード端部分は前記各締結具を締結するよう動作可能であり、
前記締結具の駆動面は、交互になっている一連の４つ、５つ又は６つの締結具ローブ及び締結具トラフを回転軸の周囲に備えるとともに、前記トルク伝達ドライバーにおける類似の形状及びテーパーの対応する駆動面と係合するよう動作可能な、前記回転軸から５０度以上、６５度以下であるテーパー角度を有して、前記駆動面の各締結具ローブは、ローブ幅対ローブ高さの比が、前記トルク伝達ドライバーの軸方向の任意の断面について、実質的に一定であるテーパー高さ及びテーパー幅を有する複数の締結具と、
第１の端部分及び第２の端部分を有する本体を備えるトルク伝達ドライバーで、
前記第１の端部分は、トルク発生源からトルクを受けて伝達するようになっており、
前記第１の端部分の反対の前記第２の端部分は、前記複数の締結具の前記少なくとも２つのサイズの駆動面と係合するよう動作可能である、回転軸から５０度以上、６５度以下であるテーパー角度を有し、テーパー状ビット駆動面を形成する、交互になっている一連の５つ又は６つのドライバーローブ及びドライバートラフを前記回転軸の周囲に備える成形テーパー状ビットを備え、
前記成形テーパー状ビットの前記テーパー状駆動面は、第１のサイズの締結具の駆動面と係合するよう動作可能な第１のテーパー部分と、第２のサイズの締結具の駆動面と係合するようになっている第２のテーパー部分とを有し、前記第２のサイズの締結具の前記駆動面は、前記第１のサイズの締結具の前記駆動面よりも大きく、各ドライバーローブは、ローブ幅対ローブ高さの比が、前記トルク伝達ドライバーの軸方向の任意の断面について、実質的に一定であるテーパー高さ及びテーパー幅を有するトルク伝達ドライバーとを備える締結具システムで、
前記トルク伝達ドライバーの前記ドライバーローブ及びトラフは、前記締結具の前記締結具トラフ及びローブと相補的に係合する、締結具システム。
【請求項１３】
締結具の駆動面の前記少なくとも２つのサイズのそれぞれが、実質的に同一の少なくとも１つの断面を有する
請求項１２に記載の締結具システム。
【請求項１４】
前記成形テーパー状ビットにおける前記テーパー状駆動面が対応する締結具面と係合する駆動角度を有する駆動側面遷移部を、各ローブと、各ローブの少なくとも片側におけるトラフとの間に含み、前記駆動角度が０度〜５度である、請求項１２に記載の締結具システム。
【請求項１５】
前記成形テーパー状ビットにおける前記駆動側面遷移部がローブ高さの約２０％〜６０％である、請求項１４に記載の締結具システム。
【請求項１６】
前記成形テーパー状ビットにおける前記テーパー状駆動面が対応する締結具面と係合するようになっている負の駆動角度を有する駆動側面遷移部を、各ローブと、各ローブの少なくとも片側における前記トラフとの間に備え、前記駆動角度が０度〜−１０度である、請求項１２に記載の締結具システム。
【請求項１７】
前記成形テーパー状ビットにおける前記駆動側面遷移部がローブ高さの約２０％〜６０％の間である、請求項１６に記載の締結具システム。
【請求項１８】
前記締結具の駆動面が凹部を形成し、前記成形テーパー状ビットが少なくとも２つのサイズの締結具の駆動面と係合するよう動作可能である、請求項１２から１７のいずれか一項に記載の締結具システム。
【請求項１９】
前記締結具の駆動面が凸部を形成し、前記成形テーパー状ビットが少なくとも２つのサイズの締結具の駆動面と係合するよう動作可能である、請求項１２から１７のいずれか一項に記載の締結具システム。
【請求項２０】
前記トルク伝達ドライバーの前記テーパー状駆動面及び前記対応する締結具の駆動面が前記回転軸から５５度と６５度との間のテーパー角度を有する、請求項１２から１９のいずれか一項に記載の締結具システム。
【請求項２１】
前記トルク伝達ドライバーの前記テーパー状駆動面及び前記対応する締結具の駆動面が前記回転軸から５０度と５５度との間のテーパー角度を有する、請求項１２から１９のいずれか一項に記載の締結具システム。
【請求項２２】
前記複数の締結具が０．０３９インチ（１．０ミリメートル）よりも小さいねじ大径を有する締結具を具備する、請求項１２から２１のいずれか一項に記載の締結具システム。
【請求項２３】
前記複数の締結具が０．０６３インチ（１．６ミリメートル）よりも小さいねじ大径を有する締結具を具備する、請求項１２から２１のいずれか一項に記載の締結具システム。
【請求項２４】
選択された複数の締結具であって、少なくとも２つのサイズのテーパー状駆動面の組合せを有する複数の締結具で、
前記少なくとも２つのサイズのテーパー状駆動面のそれぞれは、類似の断面形状を有し、各締結具は、駆動端部分及びリード端部分を有する複数の締結具を備え、
各締結具の前記駆動端部分は、トルク伝達ドライバーと係合するよう動作可能であり、前記リード端部分は、締結具を締結するよう動作可能であり、
各締結具の前記駆動端部分は、前記トルク伝達ドライバーにおける類似の形状及びテーパーの対応する駆動面と係合するよう動作可能な、回転軸から５０度以上、６５度以下であるテーパー角度を有して、前記テーパー状駆動面を形成する、交互になっている一連の４つ、５つ又は６つのローブ及びトラフを前記回転軸の周囲に備え、前記駆動面の各ローブは、ローブ幅対ローブ高さの比が、前記トルク伝達ドライバーの軸方向の任意の断面について、実質的に一定であるテーパー高さ及びテーパー幅を有する、選択された複数の締結具。
【請求項２５】
前記締結具の駆動面の前記少なくとも２つのサイズのそれぞれが、実質的に同一の少なくとも１つの断面を有する
請求項２４に記載の選択された複数の締結具。
【請求項２６】
各ローブと、各ローブの少なくとも片側における前記トラフとの間の遷移部が、対応するドライバー面と係合するようになっている駆動角度を有する駆動側面遷移部を形成し、前記駆動角度が０度〜５度である、請求項２４に記載の選択された複数の締結具。
【請求項２７】
前記駆動側面遷移部がローブ高さの約２０％〜６０％である、請求項２６に記載の選択された複数の締結具。
【請求項２８】
各ローブと、各ローブの少なくとも片側における前記トラフとの間の遷移部が、対応するドライバー面と係合するようになっている負の駆動角度を有する駆動側面遷移部を形成し、前記負の駆動角度が０度〜−１０度である、請求項２４に記載の選択された複数の締結具。
【請求項２９】
前記駆動側面遷移部がローブ高さの約２０％〜６０％である、請求項２８に記載の選択された複数の締結具。
【請求項３０】
前記締結具の駆動面が凹部を形成する、請求項２４から２９のいずれか一項に記載の選択された複数の締結具。
【請求項３１】
前記締結具の駆動面が凸部を形成する、請求項２４から２９のいずれか一項に記載の選択された複数の締結具。
【請求項３２】
前記テーパー状駆動面が前記回転軸から５５度と６５度との間のテーパー角度を有する、請求項２４から３１のいずれか一項に記載の選択された複数の締結具。
【請求項３３】
前記テーパー状駆動面が前記回転軸から５０度と５５度との間のテーパー角度を有する、請求項２４から３１のいずれか一項に記載の選択された複数の締結具。
【請求項３４】
前記複数の締結具が０．０３９インチ（１．０ミリメートル）よりも小さいねじ大径を有する締結具を具備する、請求項２４から３３のいずれか一項に記載の選択された複数の締結具。
【請求項３５】
前記複数の締結具が０．０６３インチ（１．６ミリメートル）よりも小さいねじ大径を有する締結具を具備する、請求項２４から３３のいずれか一項に記載の選択された複数の締結具。
【請求項３６】
トルク伝達ドライバーであって、
第１の端部分及び第２の端部分を有する本体を備えるトルク伝達ドライバーで、
前記第１の端部分は、トルク発生源からトルクを受けて伝達するようになっており、
前記第１の端部分の反対の前記第２の端部分は、異なるサイズの複数の締結具における類似の形状及びテーパーの凹部に対応する成形テーパー状ビットを備え、前記成形テーパー状ビットは、回転軸から５０度以上、６５度以下であるテーパー角度を有して、
前記成形テーパー状ビットは、第１のトルク方向に対応する駆動面を含み、前記駆動面は、対応するテーパー状締結具面と２度未満のリフト角度で係合するようになっている、トルク伝達ドライバー。
【請求項３７】
前記第２の端部分が連続的にテーパー状になっている、請求項３６に記載のトルク伝達ドライバー。
【請求項３８】
前記駆動面は、前記成形テーパー状ビットの半径方向とおよそ平行である
請求項３６に記載のトルク伝達ドライバー。
【請求項３９】
前記成形テーパー状ビットが前記駆動面と、第２のトルク方向に対応する従動面とを有する複数のローブを具備する、請求項３６から３８のいずれか一項に記載のトルク伝達ドライバー。
【請求項４０】
前記駆動面と前記従動面との間の距離が、前記成形テーパー状ビットの前記テーパーに沿って短くなる、請求項３９に記載のトルク伝達ドライバー。
【請求項４１】
前記成形テーパー状ビットの前記テーパーが、前記対応する締結具凹部の前記テーパーとは異なる、請求項４０に記載のトルク伝達ドライバー。
【請求項４２】
前記成形テーパー状ビットが前記回転軸から５０度と５５度との間のテーパー角度を有する、請求項３６から４１のいずれか一項に記載のトルク伝達ドライバー。
【請求項４３】
トルク伝達ドライバーであって、
第１の端部分及び第２の端部分を有する本体を備えるトルク伝達ドライバーで、
前記第１の端部分は、トルク発生源からトルクを受けて伝達するようになっており、
前記第１の端部分の反対の前記第２の端部分は、異なるサイズの複数の締結具における類似の形状及びテーパーの凹部に対応する６つのローブの成形テーパー状ビットを備え、前記成形テーパー状ビットは、回転軸から公称上５２度のテーパー角度を有して、
前記成形テーパー状ビットは、第１のトルク方向に対応する駆動面を具備し、前記駆動面は、対応するテーパー状締結具面と２度未満のリフト角度で係合するようになっている、トルク伝達ドライバー。
【請求項４４】
軸の周囲で漸次的にテーパー状になっている直径を有する中心シャフトを備えるとともに、種々のサイズの複数の締結具と係合するようになっており、トルクを前記複数の締結具に加えるドライバーであって、
前記複数の締結具における凹部と係合するローブ状外形であって、複数のローブを有し、各ローブは駆動側面及び従動側面を有するローブ状外形を備えるドライバーで、
前記ローブ状外形は、前記ドライバーの回転軸から５０度以上、６５度以下であるテーパー角度を有して、
各ローブの前記駆動側面は、前記漸次的にテーパー状になっている直径に沿ったほぼ一定の径方向位置にあり、
各ローブの前記駆動側面は、前記複数の締結具と減少リフト角度で係合することによって、カムアウトを低減させる、ドライバー。
【請求項４５】
前記駆動側面と前記従動側面との間の距離が、前記漸次的にテーパー状になっている直径に沿って短くなる、請求項４４に記載のドライバー。
【請求項４６】
前記駆動側面における前記減少リフト角度が０度〜２度である、請求項４４又は４５に記載のドライバー。
【請求項４７】
前記駆動側面における前記減少リフト角度が０度〜１度である、請求項４４から４６のいずれか一項に記載のドライバー。
【請求項４８】
前記テーパー角度が回転軸から５０度と５５度との間である、請求項４４から４７のいずれか一項に記載のドライバー。